(57)【要約】【課題】全体の大型化を抑制しつつ、十分な広さの荷物置きの空間と手洗い空間とを確保した洗面カウンタを提供する。【解決手段】カウンタ面を有するカウンタと、前記カウンタに設けられ、前記カウンタ面よりも下方に凹む凹状のボウル部と、前記カウンタの後端から上方に向かって延びる立ち上がり部と、前記立ち上がり部の前方に設けられ、前記ボウル部に向けて水を吐出する吐水口を有する水栓部と、前記立ち上がり部の上端から前方に向かって延びる棚板と、を備え、前記棚板の前端は、前記水栓部の前端よりも前方に位置することを特徴とする洗面カウンタである。【選択図】図１
2019024528.tif 000002
【特許請求の範囲】
【請求項１】
カウンタ面を有するカウンタと、
前記カウンタに設けられ、前記カウンタ面よりも下方に凹む凹状のボウル部と、
前記カウンタの後端から上方に向かって延びる立ち上がり部と、
前記立ち上がり部の前方に設けられ、前記ボウル部に向けて水を吐出する吐水口を有する水栓部と、
前記立ち上がり部の上端から前方に向かって延びる棚板と、
を備え、
前記棚板の前端は、前記水栓部の前端よりも前方に位置することを特徴とする洗面カウンタ。
【請求項２】
前記水栓部と前記棚板との間の空間の前方及び側方の少なくとも一部を覆うカバーをさらに備えたことを特徴とする請求項１記載の洗面カウンタ。
【請求項３】
前記カバーは、前記水栓部の前端の少なくとも一部を覆うことを特徴とする請求項２記載の洗面カウンタ。
【請求項４】
前記カバーは、前記水栓部の前方、側方、及び下方を覆い、前記吐水口を露出させる開口を有することを特徴とする請求項２又は３に記載の洗面カウンタ。
【請求項５】
前記カバーは、前記水栓部の下方を覆う底面部に、内部に浸入した水を抜くための水抜き孔を有することを特徴とする請求項４記載の洗面カウンタ。
【請求項６】
前記棚板は、下方を向く下面を有し、
前記水栓部は、前記棚板の前記下面に取り付けられていることを特徴とする請求項１〜５のいずれか１つに記載の洗面カウンタ。
【請求項７】
前記立ち上がり部は、上端から下方に向かって凹む凹部を有し、
前記棚板は、下方に向かって突出し、前記立ち上がり部の前記凹部に嵌る凸部を有し、前方から挿入された接合部材で前記凸部と前記凹部とを接合することにより、前記立ち上がり部の上端に取り付けられることを特徴とする請求項１〜６のいずれか１つに記載の洗面カウンタ。
【発明の詳細な説明】
【技術分野】
【０００１】
本発明の態様は、一般的に、洗面カウンタに関する。
【背景技術】
【０００２】
ボウル部を手前に配置し、カウンタの奥行を広くとることで、荷物置き用の空間を確保する洗面カウンタが知られている。このような洗面カウンタでは、ボウル部の後方に荷物置き用の空間を確保できる反面、カウンタの奥行の分だけ洗面カウンタ全体の大きさが大きくなってしまう。
【０００３】
一方、洗面カウンタ全体の大きさを維持したままカウンタの奥行を広くすることも考えられる。しかしながら、この場合には、カウンタの奥行の分だけボウル部（手洗い空間）の前後幅を狭くしなければならず、手洗いなどをし難くなってしまう。このため、洗面カウンタでは、全体の大型化を抑制しつつ、十分な広さの荷物置きの空間と手洗い空間とを確保することが望まれる。
【先行技術文献】
【特許文献】
【０００４】
【特許文献１】特開２０１３−２２０３０号公報
【発明の概要】
【発明が解決しようとする課題】
【０００５】
本発明は、かかる課題の認識に基づいてなされたものであり、全体の大型化を抑制しつつ、十分な広さの荷物置きの空間と手洗い空間とを確保した洗面カウンタを提供することを目的とする。
【課題を解決するための手段】
【０００６】
第１の発明は、カウンタ面を有するカウンタと、前記カウンタに設けられ、前記カウンタ面よりも下方に凹む凹状のボウル部と、前記カウンタの後端から上方に向かって延びる立ち上がり部と、前記立ち上がり部の前方に設けられ、前記ボウル部に向けて水を吐出する吐水口を有する水栓部と、前記立ち上がり部の上端から前方に向かって延びる棚板と、を備え、前記棚板の前端は、前記水栓部の前端よりも前方に位置することを特徴とする洗面カウンタである。
【０００７】
この洗面カウンタによれば、棚板を立ち上がり部から前方に水栓部よりも長く突き出すことにより、棚板の上部に荷物置きの空間を確保することができる。棚板をボウル部の上方に配置することにより、ボウル部の前後幅を狭くする必要もない。従って、全体の大型化を抑制しつつ、十分な広さの荷物置きの空間と手洗い空間とを確保した洗面カウンタを提供することができる。
【０００８】
第２の発明は、第１の発明において、前記水栓部と前記棚板との間の空間の前方及び側方の少なくとも一部を覆うカバーをさらに備えたことを特徴とする洗面カウンタである。
【０００９】
棚板の高さを抑えつつ、手洗い空間を広くとるためには、水栓部を棚板に近接させて配置することが好ましい。しかし、水栓部と棚板との間の距離が短いと、手洗い時などに跳ね返った水が棚板の下面にかかり易くなるとともに、下面にかかった水が水栓部の上部に垂れ落ち、水栓部の上部が汚れ易くなってしまう。そして、清掃するにしても、棚板の下面と水栓部とが接近していると、清掃もし難くなってしまう。
【００１０】
第２の発明に係る洗面カウンタでは、水栓部と棚板との間の空間の前方及び側方の少なくとも一部を覆うカバーをさらに備える。これにより、棚板の下面及び水栓部の上部への水はねを軽減することができる。カバーに水がかかったとしても、カバー自体の清掃は、容易に行うことができる。また、カバーを取り付けることにより、手洗い空間全体に一体感を持たせ、すっきりとした外観を演出することができる。洗面カウンタの意匠性を向上させることができる。
【００１１】
第３の発明は、第２の発明において、前記カバーは、前記水栓部の前端の少なくとも一部を覆うことを特徴とする洗面カウンタである。
【００１２】
この洗面カウンタによれば、棚板の下面及び水栓部の上部への水はねをより軽減することができる。よりすっきりとした外観を演出することができる。
【００１３】
第４の発明は、第２又は第３の発明において、前記カバーは、前記水栓部の前方、側方、及び下方を覆い、前記吐水口を露出させる開口を有することを特徴とする洗面カウンタである。
【００１４】
この洗面カウンタによれば、棚板の下面及び水栓部の上部への水はねをより軽減することができる。手洗い空間全体により一体感を持たせ、よりすっきりとした外観を演出することができる。
【００１５】
第５の発明は、第４の発明において、前記カバーは、前記水栓部の下方を覆う底面部に、内部に浸入した水を抜くための水抜き孔を有することを特徴とする洗面カウンタである。
【００１６】
この洗面カウンタによれば、カバー内に浸入した水を逃がすことができる。例えば、浸入した水により、カバー内に汚れが生じたり、水栓部の動作に悪影響を与えたりすることを抑制することができる。
【００１７】
第６の発明は、第１〜第５のいずれか１つの発明において、前記棚板は、下方を向く下面を有し、前記水栓部は、前記棚板の前記下面に取り付けられていることを特徴とする洗面カウンタである。
【００１８】
この洗面カウンタによれば、載せられた荷物の荷重などによって棚板が撓んだ際に、棚板にともなって水栓部も動くようになる。これにより、棚板の撓みによって過度な荷重が水栓部にかかり、水栓部が破損してしまうことなどを抑制することができる。
【００１９】
第７の発明は、第１〜第６のいずれか１つの発明において、前記立ち上がり部は、上端から下方に向かって凹む凹部を有し、前記棚板は、下方に向かって突出し、前記立ち上がり部の前記凹部に嵌る凸部を有し、前方から挿入された接合部材で前記凸部と前記凹部とを接合することにより、前記立ち上がり部の上端に取り付けられることを特徴とする洗面カウンタである。
【００２０】
この洗面カウンタによれば、棚板と立ち上がり部との接合面や接合部材などが棚板の上面に露出することを抑制することができる。接合面や接合部材を見え難くすることもできる。従って、洗面カウンタの意匠性をより向上させることができる。
【発明の効果】
【００２１】
本発明の態様によれば、全体の大型化を抑制しつつ、十分な広さの荷物置きの空間と手洗い空間とを確保した洗面カウンタが提供される。
【図面の簡単な説明】
【００２２】
【図１】実施形態に係る洗面カウンタを表す斜視図である。
【図２】実施形態に係る洗面カウンタの一部を拡大して表す部分斜視図である。
【図３】実施形態に係る洗面カウンタの一部を拡大して表す部分斜視図である。
【図４】実施形態に係る洗面カウンタの一部を拡大して表す部分正面図である。
【図５】実施形態に係る洗面カウンタを表す分解斜視図である。
【図６】実施形態に係る洗面カウンタの一部を拡大して表す部分断面図である。
【図７】図７（ａ）及び図７（ｂ）は、実施形態に係る洗面カウンタの変形例を表す側面図及び正面図である。
【図８】図８（ａ）及び図８（ｂ）は、実施形態に係る洗面カウンタの変形例を表す側面図及び正面図である。
【図９】図９（ａ）及び図９（ｂ）は、実施形態に係る洗面カウンタの変形例を表す側面図及び正面図である。
【発明を実施するための形態】
【００２３】
以下、本発明の実施の形態について図面を参照しつつ説明する。なお、各図面中、同様の構成要素には同一の符号を付して詳細な説明は適宜省略する。  
図１は、実施形態に係る洗面カウンタを表す斜視図である。  
図２及び図３は、実施形態に係る洗面カウンタの一部を拡大して表す部分斜視図である。  
図４は、実施形態に係る洗面カウンタの一部を拡大して表す部分正面図である。  
図１〜図４に表したように、洗面カウンタ１０は、カウンタ１２と、ボウル部１４と、立ち上がり部１６と、棚板１８と、第１水栓部２１と、第２水栓部２２と、カバー２４と、を備えている。
【００２４】
図１は、洗面カウンタ１０を斜め上方から見た状態を表している。図２は、洗面カウンタ１０の第１水栓部２１、第２水栓部２２、及びカバー２４の設けられた部分を斜め下方から見た状態を表している。図３は、図２と実質的に同じ視点において、カバー２４を取り外した状態を表している。図４は、カバー２４の一部を切り欠いた状態において、第１水栓部２１及び第２水栓部２２を正面から見た状態を表している。
【００２５】
カウンタ１２は、カウンタ面１２ａを有する。カウンタ面１２ａは、上方を向き、荷物などの載置を可能にする。カウンタ面１２ａは、換言すれば、カウンタ１２の上面である。カウンタ面１２ａは、例えば、水平面である。カウンタ面１２ａは、荷物などを載置可能な程度の傾きを有していてもよい。また、カウンタ面１２ａは、例えば、荷物などを載置可能な程度の凹凸や反り（曲面状の部分）などを有していてもよい。
【００２６】
ボウル部１４は、カウンタ１２に設けられ、カウンタ面１２ａよりも下方に凹む凹状である。ボウル部１４は、例えば、凹状のボウル面１４ａと、ボウル面１４ａの底部に設けられた排水口１４ｂと、を有する。排水口１４ｂは、下方において図示省略した排水管と接続され、ボウル面１４ａに吐出された水を排水管に流す。ボウル部１４は、例えば、排水口１４ｂを開閉する排水栓や、ボウル面１４ａからの水の溢れを抑制するオーバーフロー口などを有していてもよい。
【００２７】
立ち上がり部１６は、カウンタ１２の後端から上方に向かって延びる。立ち上がり部１６の左右方向の幅は、例えば、カウンタ１２の左右方向の幅と実質的に同じである。換言すれば、立ち上がり部１６は、カウンタ１２の後端全体から上方に向かって延びる。但し、立ち上がり部１６の左右方向の幅は、カウンタ１２の左右方向の幅と異なってもよい。
【００２８】
立ち上がり部１６は、前方を向く立ち上がり面１６ａを有する。立ち上がり面１６ａは、換言すれば、立ち上がり部１６の前面である。立ち上がり面１６ａは、例えば、垂直面である。但し、立ち上がり面１６ａは、垂直面に限ることなく、傾斜していてもよいし、凹凸や反りなどを有していてもよい。
【００２９】
棚板１８は、立ち上がり部１６の上端から前方に向かって延びる。棚板１８は、例えば、立ち上がり部１６の上端を覆う。棚板１８の左右方向の幅は、例えば、カウンタ１２の左右方向の幅、及び立ち上がり部１６の左右方向の幅と実質的に同じである。棚板１８は、例えば、立ち上がり部１６の上端全体を覆う。但し、棚板１８の左右方向の幅は、カウンタ１２の左右方向の幅、及び立ち上がり部１６の左右方向の幅と異なってもよい。
【００３０】
棚板１８は、上面１８ａと下面１８ｂとを有する。上面１８ａは、上方を向き、荷物などの載置を可能にする。上面１８ａは、例えば、水平面である。上面１８ａは、荷物などを載置可能な程度の傾きを有していてもよい。また、上面１８ａは、例えば、荷物などを載置可能な程度の凹凸や反りなどを有していてもよい。
【００３１】
下面１８ｂは、下方を向き、カウンタ面１２ａ及びボウル面１４ａと対向する。下面１８ｂは、例えば、上面１８ａと略平行である。棚板１８は、例えば、略矩形の平板状である。但し、下面１８ｂは、上面１８ａと非平行でもよい。下面１８ｂは、凹凸や反りなどを有していてもよい。
【００３２】
第１水栓部２１は、立ち上がり部１６の前方に設けられる。第１水栓部２１は、ボウル部１４に向けて水を吐出する吐水口２１ａを有する。第１水栓部２１の吐出する水は、例えば、手洗いなどを行うための洗浄水である。洗浄水は、例えば、水道水や地下水などである。また、洗浄水は、給水源から供給されたままの水でもよいし、加熱されたお湯でもよい。
【００３３】
第２水栓部２２は、立ち上がり部１６の前方において、第１水栓部２１と左右方向に並べて設けられている。第２水栓部２２は、ボウル部１４に向けて水を吐出する吐水口２２ａを有する。第２水栓部２２の吐出する水は、例えば、石鹸水である。このように、第１水栓部２１及び第２水栓部２２の吐出する水は、水やお湯でもよいし、石鹸水などでもよい。また、石鹸水は、液状でもよいし、泡状でもよい。
【００３４】
洗面カウンタ１０は、第１水栓部２１及び第２水栓部２２の２つの水栓部を有している。洗面カウンタ１０に設けられる水栓部の数は、１つでもよいし、３つ以上でもよい。例えば、洗面カウンタ１０が公共施設などに設置される場合などに、複数の水栓部を設けることにより、複数の使用者が同時に手洗いなどをできるようにしてもよい。
【００３５】
第１水栓部２１及び第２水栓部２２は、前後方向に延びる円柱状の水栓本体２１ｂ、２２ｂと、水栓本体２１ｂ、２２ｂの下部から下方に突出した吐水部２１ｃ、２２ｃと、を有する。吐水口２１ａ、２２ａは、吐水部２１ｃ、２２ｃの先端に設けられている。吐水口２１ａ、２２ａは、例えば、ボウル部１４に向けて斜め下方に水を吐出する。水栓本体２１ｂ、２２ｂの形状は、上記に限ることなく、任意の形状でよい。吐水口２１ａ、２２ａの配置は、上記に限ることなく、水栓本体２１ｂ、２２ｂの形状などに応じた任意の配置でよい。例えば、水栓本体２１ｂ、２２ｂの前端部に、吐水口２１ａ、２２ａを設けてもよい。
【００３６】
第１水栓部２１及び第２水栓部２２は、使用者の手などの対象物を検出するためのセンサ部２１ｄ、２２ｄを有する。センサ部２１ｄ、２２ｄは、使用者の手などの対象物の検出を行い、検出結果を外部のコントローラなどに出力する。コントローラは、センサ部２１ｄ、２２ｄによる対象物の検出に応じて、電磁弁などを開閉することにより、吐水口２１ａ、２２ａから水を吐出する。このように、第１水栓部２１及び第２水栓部２２は、手などを差し出すだけで水が吐出される、いわゆる自動水栓として用いられる。センサ部２１ｄ、２２ｄは、例えば、赤外線を照射し、対象物からの反射波を受光して対象物の有無を検出する赤外線センサである。センサ部２１ｄ、２２ｄは、赤外線センサに限ることなく、使用者の手などの対象物を検出可能な任意のセンサでよい。第１水栓部２１及び第２水栓部２２は、自動水栓に限ることなく、ハンドルやレバーなどの操作に応じて吐止水を切り替える手動式の水栓でもよい。センサ部２１ｄ、２２ｄは、必要に応じて設けられ、省略可能である。
【００３７】
洗面カウンタ１０は、例えば、取付部材２６、２８をさらに備える。取付部材２６、２８は、第１水栓部２１及び第２水栓部２２の取り付けに用いられる。
【００３８】
取付部材２６は、例えば、第１板部２６ａと、第２板部２６ｂと、を有する略Ｌ字の板状である。取付部材２６は、例えば、略Ｌ字の金属板である。第１板部２６ａは、ネジ止めなどにより、立ち上がり部１６の立ち上がり面１６ａに取り付けられる。第２板部２６ｂは、ネジ止めなどにより、棚板１８の下面１８ｂに取り付けられる。このように、立ち上がり部１６の立ち上がり面１６ａと棚板１８の下面１８ｂとを取付部材２６を介して接続することにより、例えば、棚板１８に上方から加わる荷重に対しての強度を高めることができる。
【００３９】
取付部材２８は、ネジ止めなどにより、取付部材２６の第２板部２６ｂに下方から取り付けられる中央部２８ａと、中央部２８ａから左右方向の一方に延び、第１水栓部２１を支持する第１支持部２８ｂと、中央部２８ａから左右方向の他方に延び、第２水栓部２２を支持する第２支持部２８ｃと、を有する。第１水栓部２１は、ネジ止めなどにより、第１支持部２８ｂに取り付けられる。第２水栓部２２は、ネジ止めなどにより、第２支持部２８ｃに取り付けられる。
【００４０】
これにより、第１水栓部２１及び第２水栓部２２は、取付部材２６、２８を介して棚板１８の下面１８ｂに取り付けられる。取付部材２６、２８は、棚板１８の下面１８ｂに取り付けられた状態において、第１水栓部２１と第２水栓部２２との間に設けられる。第１水栓部２１及び第２水栓部２２は、例えば、立ち上がり部１６の立ち上がり面１６ａに取り付けてもよい。
【００４１】
棚板１８の前端１８ｆは、第１水栓部２１の前端２１ｆ、及び第２水栓部２２の前端２２ｆよりも前方に位置する。換言すれば、棚板１８の前端１８ｆは、第１水栓部２１の前端２１ｆ、及び第２水栓部２２の前端２２ｆよりも前方に突き出ている。前端２１ｆ、２２ｆは、第１水栓部２１及び第２水栓部２２において、最も前方に位置する部分である。この例において、前端２１ｆ、２２ｆは、水栓本体２１ｂ、２２ｂの前端である。これにより、棚板１８の上面１８ａにおいて、荷物などを載置するための適切な広さを得ることができる。
【００４２】
また、棚板１８の前端１８ｆは、例えば、カウンタ１２の前端１２ｆよりも後方に位置する。棚板１８の前端１８ｆは、カウンタ１２の前端１２ｆよりも前方には突出しない。棚板１８の前端１８ｆは、例えば、第１水栓部２１の前端２１ｆ及び第２水栓部２２の前端２２ｆと、カウンタ１２の前後方向の長さの中央と、の間に位置する。これにより、棚板１８の上面１８ａにおいて、荷物などを載置するための適切な広さを確保しつつ、棚板１８が手洗いなどの邪魔になってしまうことを抑制することができる。
【００４３】
カバー２４は、第１水栓部２１、第２水栓部２２、及び取付部材２６、２８のそれぞれの前方、両側方、及び下方の少なくとも一部を覆う。これにより、カバー２４は、立ち上がり部１６及び棚板１８とともに、これらの部材の前後左右上下の各方向からの視認を抑制する。これにより、洗面カウンタ１０の意匠性を向上させることができる。
【００４４】
カバー２４は、例えば、ネジ止めなどにより、取付部材２８に下方から取り付けられる。カバー２４は、例えば、取付部材２６、２８を介して棚板１８の下面１８ｂに取り付けられる。カバー２４は、例えば、立ち上がり部１６の立ち上がり面１６ａに取り付けてもよい。
【００４５】
カバー２４の上端は、棚板１８の下面１８ｂに近接して配置される。カバー２４の上端と棚板１８の下面１８ｂとの間の距離は、例えば、３ｍｍ以下である。これにより、カバー２４の上端と棚板１８の下面１８ｂとの間の隙間から第１水栓部２１、第２水栓部２２、及び取付部材２６、２８などの各部材が視認されてしまうことを抑制することができる。カバー２４の上端は、棚板１８の下面１８ｂに接していてもよい。これにより、各部材の視認をより確実に抑制することができる。
【００４６】
カバー２４の後端は、立ち上がり部１６の立ち上がり面１６ａに近接して配置される。カバー２４の後端と立ち上がり部１６の立ち上がり面１６ａとの間の距離は、例えば、１０ｍｍ以下である。これにより、カバー２４の後端と立ち上がり部１６の立ち上がり面１６ａとの間の隙間から第１水栓部２１、第２水栓部２２、及び取付部材２６、２８などの各部材が視認されてしまうことを抑制することができる。カバー２４の後端は、立ち上がり部１６の立ち上がり面１６ａに接していてもよい。これにより、各部材の視認をより確実に抑制することができる。
【００４７】
このように、カバー２４の上端は、棚板１８の下面１８ｂに近接して配置される。これにより、カバー２４は、第１水栓部２１と棚板１８との間の空間ＳＰ１の前方及び側方の少なくとも一部を覆う。同様に、カバー２４は、第２水栓部２２と棚板１８との間の空間ＳＰ２の前方及び側方の少なくとも一部を覆う。
【００４８】
また、カバー２４は、第１水栓部２１の前端２１ｆの少なくとも一部、及び第２水栓部２２の前端２２ｆの少なくとも一部を覆う。この例において、カバー２４は、前後方向において、第１水栓部２１の前端２１ｆの全体、及び第２水栓部２２の前端２２ｆの全体を覆う。
【００４９】
カバー２４は、例えば、前面部３０と、一対の側面部３１、３２と、底面部３３と、を有する。前面部３０は、第１水栓部２１、第２水栓部２２、及び取付部材２６、２８のそれぞれの前方を覆う。前面部３０は、空間ＳＰ１、ＳＰ２の前方の少なくとも一部を覆う。この例において、前面部３０は、空間ＳＰ１、ＳＰ２の前方の全体を覆う。一対の側面部３１、３２は、第１水栓部２１、第２水栓部２２、及び取付部材２６、２８のそれぞれの側方を覆う。側面部３１、３２は、空間ＳＰ１、ＳＰ２の側方の少なくとも一部を覆う。側面部３１、３２は、前面部３０から吐水口２１ａ、２２ａよりも後方まで延びる。側面部３１、３２は、前面部３０から吐水口２１ａ、２２ａまでの間において、空間ＳＰ１、ＳＰ２の側方の全体を覆う。カバー２４は、例えば、空間ＳＰ１、ＳＰ２の前方の全体を覆うとともに、空間ＳＰ１、ＳＰ２の側方の吐水口２１ａ、２２ａよりも前方の部分の全体を覆う。側面部３１、３２は、吐水口２１ａ、２２ａから立ち上がり面１６ａまでの間において、空間ＳＰ１、ＳＰ２の側方の少なくとも一部を覆う。底面部３３は、第１水栓部２１、第２水栓部２２、及び取付部材２６、２８のそれぞれの下方を覆う。底面部３３は、前面部３０から吐水口２１ａ、２２ａよりも後方まで延びる。
【００５０】
カバー２４は、第１水栓部２１の吐水口２１ａを露出させる開口４１と、第２水栓部２２の吐水口２２ａを露出させる開口４２と、を有する。この例では、第１水栓部２１及び第２水栓部２２の下部に設けられた吐水口２１ａ、２２ａと対向するように、開口４１、４２が、底面部３３に設けられている。これにより、第１水栓部２１及び第２水栓部２２をカバー２４で覆いつつ、吐水口２１ａ、２２ａからの水の吐出を可能とする。
【００５１】
この例において、開口４１は、吐水口２１ａを露出させるとともに、センサ部２１ｄの一部を露出させる。より詳しくは、開口４１は、センサ部２１ｄの赤外線透過窓を露出させる。これにより、第１水栓部２１をカバー２４で覆った際にも、使用者などの手の検出が可能となる。同様に、開口４２は、吐水口２２ａを露出させるとともに、センサ部２２ｄの一部を露出させる。
【００５２】
第１水栓部２１の吐水部２１ｃの下端は、開口４１から下方に突出する。第２水栓部２２の吐水部２２ｃの下端は、開口４２から下方に突出する。このように、第１水栓部２１の一部及び第２水栓部２２の一部は、カバー２４よりも外側に突出していてもよい。すなわち、カバー２４は、第１水栓部２１及び第２水栓部２２の前方の少なくとも一部を覆う。カバー２４は、第１水栓部２１及び第２水栓部２２の側方の少なくとも一部を覆う。カバー２４は、第１水栓部２１及び第２水栓部２２の下方の少なくとも一部を覆う。
【００５３】
カバー２４は、第１水栓部２１及び第２水栓部２２の下方を覆う底面部３３に、内部に浸入した水を抜くための水抜き孔４４、４５、４６を有する。水抜き孔の数は、３つに限ることなく、任意の数でよい。また、水抜き孔４４、４５、４６は、必要に応じて設けられ、省略可能である。
【００５４】
棚板１８は、上面１８ａ及び下面１８ｂを有する平板状の棚板本体１８ｍと、棚板本体１８ｍの下面１８ｂから下方に突出した凸部１８ｃと、を有する。凸部１８ｃは、例えば、棚板本体１８ｍと別体に設けられ、接着などにより、下面１８ｂに略一体に取り付けられる。凸部１８ｃは、棚板本体１８ｍと一体に成形してもよい。棚板本体１８ｍ及び凸部１８ｃには、例えば、人工大理石が用いられる。凸部１８ｃの材料は、棚板本体１８ｍの材料と異なってもよい。凸部１８ｃには、例えば、金属材料など、人口大理石よりも加工のし易い材料を用いてもよい。
【００５５】
凸部１８ｃには、接合部材１８ｓが挿通されている。凸部１８ｃには、例えば、接合部材１８ｓと接合される被接合部材が設けられる。接合部材１８ｓは、例えば、ネジである。被接合部材は、例えば、インサートナットである。凸部１８ｃに人口大理石を用いる場合、被接合部材は、例えば、埋め込み成形によって凸部１８ｃに設けられる。
【００５６】
取付部材２６の第２板部２６ｂは、下面１８ｂに取り付けられた状態で凸部１８ｃを入り込ませるための凹部２６ｃを有する。凸部１８ｃ及び凹部２６ｃは、第１水栓部２１と第２水栓部２２との間に設けられている。
【００５７】
取付部材２６の凹部２６ｃ及び取付部材２８の中央部２８ａには、接合部材１８ｓを挿通するための貫通孔が設けられている。取付部材２６及び取付部材２８は、貫通孔に接合部材１８ｓを挿通した状態で、下方から接合部材１８ｓに被接合部材２８ｎを取り付け、下面１８ｂと被接合部材２８ｎとの間に挟まれることにより、下面１８ｂに取り付けられる。被接合部材２８ｎは、例えば、ネジである接合部材１８ｓと螺合するナット（蝶ナット）である。
【００５８】
接合部材１８ｓは、通常のネジでもよい。取付部材２６及び取付部材２８に対し、通常のネジを下方から挿通し、凸部１８ｃのインサートナットと螺合させることにより、取付部材２６及び取付部材２８を下面１８ｂに取り付けてもよい。
【００５９】
凹部２６ｃは、前後方向に延びる。凹部２６ｃは、例えば、前後方向に延び、第１板部２６ａと接続されている。換言すれば、凹部２６ｃの少なくとも一部は、第１板部２６ａと一体に形成されている。これにより、例えば、第２板部２６ｂを平板状に形成した場合と比べて、取付部材２６の強度をより高めることができる。
【００６０】
図５は、実施形態に係る洗面カウンタを表す分解斜視図である。  
図６は、実施形態に係る洗面カウンタの一部を拡大して表す部分断面図である。  
図５及び図６に表したように、立ち上がり部１６は、上端から下方に向かって凹む凹部１６ｂを有する。棚板１８は、下方に向かって突出し、立ち上がり部１６の凹部１６ｂに嵌る凸部１８ｐを有する。
【００６１】
凹部１６ｂ及び凸部１８ｐには、前方（立ち上がり面１６ａ側）から接合部材５０が挿入される。棚板１８は、前方から挿入された接合部材５０で凸部１８ｐと凹部１６ｂとを接合することにより、立ち上がり部１６の上端に取り付けられる。接合部材５０は、例えば、ネジである。接合部材５０は、凸部１８ｐと凹部１６ｂとを接合可能な任意の部材でよい。この例において、棚板１８は、２つの凸部１８ｐを有する。凸部１８ｐの数は、２つに限ることなく、１つでもよいし、３つ以上でもよい。例えば、１つの凸部１８ｐに対して複数の接合部材５０を挿入してもよい。
【００６２】
以上、説明したように、本実施形態に係る洗面カウンタ１０では、棚板１８を立ち上がり部１６から前方に第１水栓部２１及び第２水栓部２２よりも長く突き出すことにより、棚板１８の上部に荷物置きの空間を確保することができる。棚板１８をボウル部１４の上方に配置することにより、ボウル部１４の前後幅を狭くする必要もない。従って、全体の大型化を抑制しつつ、十分な広さの荷物置きの空間と手洗い空間とを確保した洗面カウンタ１０を提供することができる。
【００６３】
棚板１８の高さを抑えつつ、手洗い空間を広くとるためには、第１水栓部２１及び第２水栓部２２を棚板１８に近接させて配置することが好ましい。しかし、第１水栓部及び第２水栓部２２と棚板１８との間の距離が短いと、手洗い時などに跳ね返った水が棚板１８の下面１８ｂにかかり易くなるとともに、下面１８ｂにかかった水が第１水栓部２１及び第２水栓部２２の上部に垂れ落ち、第１水栓部２１及び第２水栓部２２の上部が汚れ易くなってしまう。そして、清掃するにしても、棚板１８の下面１８ｂと第１水栓部２１及び第２水栓部２２とが接近していると、清掃もし難くなってしまう。
【００６４】
これに対して、本実施形態に係る洗面カウンタ１０は、第１水栓部２１と棚板１８との間の空間ＳＰ１、及び第２水栓部２２と棚板１８との間の空間ＳＰ２の前方及び側方の少なくとも一部を覆うカバー２４を備えている。これにより、棚板１８の下面１８ｂ、第１水栓部２１及び第２水栓部２２の上部への水はねを軽減することができる。カバー２４に水がかかったとしても、カバー２４自体の清掃は、容易に行うことができる。また、カバー２４を取り付けることにより、手洗い空間全体に一体感を持たせ、すっきりとした外観を演出することができる。洗面カウンタ１０の意匠性を向上させることができる。
【００６５】
カバー２４は、例えば、空間ＳＰ１、ＳＰ２の前方の全体を覆うとともに、空間ＳＰ１、ＳＰ２の側方の吐水口２１ａ、２２ａよりも前方の部分の全体を覆う。これにより、水はねの影響の大きい吐水口２１ａ、２２ａよりも前方の部分において、空間ＳＰ１、ＳＰ２を適切に覆うことができる。棚板１８の下面１８ｂ、第１水栓部２１及び第２水栓部２２の上部への水はねを、より適切に軽減することができる。
【００６６】
また、洗面カウンタ１０では、カバー２４が、第１水栓部２１及び第２水栓部２２の前端２１ｆ、２２ｆの少なくとも一部を覆う。これにより、棚板１８の下面１８ｂ、第１水栓部２１及び第２水栓部２２の上部への水はねをより軽減することができる。よりすっきりとした外観を演出することができる。
【００６７】
また、洗面カウンタ１０では、カバー２４が、第１水栓部２１及び第２水栓部２２の前方、側方、及び下方を覆い、吐水口２１ａ、２２ａを露出させる開口４１、４２を有する。これにより、棚板１８の下面１８ｂ、第１水栓部２１及び第２水栓部２２の上部への水はねをより軽減することができる。手洗い空間全体により一体感を持たせ、よりすっきりとした外観を演出することができる。
【００６８】
また、洗面カウンタ１０では、カバー２４が、水抜き孔４４〜４６を有する。これにより、カバー２４内に浸入した水を逃がすことができる。例えば、浸入した水により、カバー２４内に汚れが生じたり、第１水栓部２１及び第２水栓部２２の動作に悪影響を与えたりすることを抑制することができる。
【００６９】
また、洗面カウンタ１０では、第１水栓部２１及び第２水栓部２２が、棚板１８の下面１８ｂに取り付けられている。これにより、載せられた荷物の荷重などによって棚板１８が撓んだ際に、棚板１８にともなって第１水栓部２１及び第２水栓部２２も動くようになる。これにより、棚板１８の撓みによって過度な荷重が第１水栓部２１及び第２水栓部２２にかかり、第１水栓部２１及び第２水栓部２２が破損してしまうことなどを抑制することができる。
【００７０】
また、洗面カウンタ１０では、前方から挿入された接合部材５０で凸部１８ｐと凹部１６ｂとを接合することにより、棚板１８が立ち上がり部１６の上端に取り付けられる。これにより、棚板１８と立ち上がり部１６との接合面や接合部材５０などが棚板１８の上面１８ａに露出することを抑制することができる。接合面や接合部材５０を見え難くすることもできる。従って、洗面カウンタ１０の意匠性をより向上させることができる。
【００７１】
図７（ａ）及び図７（ｂ）は、実施形態に係る洗面カウンタの変形例を表す側面図及び正面図である。  
図７（ａ）及び図７（ｂ）に表したように、洗面カウンタ１０ａは、１つの水栓部２０を有する。水栓部２０は、前方に向かって下方に傾斜する円柱状である。水栓部２０は、前端部に吐水口２０ａを有する。このように、水栓部２０の数は、１つでもよい。水栓部２０は、立ち上がり部１６の立ち上がり面１６ａに取り付けてもよい。また、水栓部２０の形状は、上記に限ることなく、任意の形状でよい。また、洗面カウンタ１０ａでは、カバー２４が省略されている。
【００７２】
このように構成された洗面カウンタ１０ａにおいても、棚板１８を立ち上がり部１６から前方に水栓部２０よりも長く突き出すことにより、上記実施形態と同様に、全体の大型化を抑制しつつ、十分な広さの荷物置きの空間と手洗い空間とを確保した洗面カウンタ１０ａを提供することができる。
【００７３】
図８（ａ）及び図８（ｂ）は、実施形態に係る洗面カウンタの変形例を表す側面図及び正面図である。  
図８（ａ）及び図８（ｂ）に表したように、洗面カウンタ１０ｂでは、カバー２４が、水栓部２０と棚板１８との間の空間ＳＰの前方及び側方のみを覆う。このように、カバー２４は、少なくとも空間ＳＰの前方及び側方の少なくとも一部を覆えればよく、水栓部２０の前端などは、必ずしも覆わなくてもよい。
【００７４】
この例においても、上記実施形態と同様に、カバー２４を設けることで、棚板１８の下面１８ｂ及び水栓部２０の上部への水はねを軽減することができる。また、手洗い空間全体に一体感を持たせ、すっきりとした外観を演出することができる。
【００７５】
図９（ａ）及び図９（ｂ）は、実施形態に係る洗面カウンタの変形例を表す側面図及び正面図である。  
図９（ａ）及び図９（ｂ）に表したように、洗面カウンタ１０ｃでは、カバー２４が、水栓部２０と棚板１８との間の空間ＳＰの前方及び側方を覆うとともに、水栓部２０の前端２０ｆの一部をさらに覆う。
【００７６】
このように、カバー２４は、空間ＳＰの前方及び側方の少なくとも一部を覆うとともに、水栓部２０の前端２０ｆの一部のみを覆う構成でもよい。これにより、棚板１８の下面１８ｂ及び水栓部２０の上部への水はねをより軽減できるとともに、意匠性をより向上させることができる。
【００７７】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、洗面カウンタ１０、１０ａ〜１０ｃが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７８】
１０、１０ａ〜１０ｃ 洗面カウンタ、  １２ カウンタ、  １４ ボウル部、  １６ 立ち上がり部、  １８ 棚板、  ２０ 水栓部、  ２１ 第１水栓部、  ２２ 第２水栓部、  ２４ カバー、  ２６、２８ 取付部材、  ３０ 前面部、  ３１、３２ 側面部、  ３３ 底面部、  ４１、４２ 開口、  ４４、４５、４６ 水抜き孔、  ５０ 接合部材
【図１】
2019024528.tif 000003
【図２】
2019024528.tif 000004
【図３】
2019024528.tif 000005
【図４】
2019024528.tif 000006
【図５】
2019024528.tif 000007
【図６】
2019024528.tif 000008
【図７】
2019024528.tif 000009
【図８】
2019024528.tif 000010
【図９】
2019024528.tif 000011